【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
頭部搭載型ディスプレイのための接眼レンズであって、前記接眼レンズは、
１つ以上の第１の導波管であって、前記１つ以上の第１の導波管は、空間光変調器からの光を第１の縁において受け取り、前記受け取られた光の少なくとも一部を前記第１の縁と反対側の第２の縁に誘導し、前記第１の縁と第２の縁との間の前記１つ以上の第１の導波管の面を通して、前記光の少なくとも一部を抽出するように配置されている、１つ以上の第１の導波管と、
前記１つ以上の第１の導波管から出射する光を前記第２の縁において受け取り、前記受け取られた光を１つ以上の第１の吸光体に誘導するように位置付けられた第２の導波管と、
第３の導波管であって、前記第３の導波管は、前記空間光変調器からの光を第３の縁において受け取り、前記受け取られた光の少なくとも一部を前記第３の縁と反対側の第４の縁に誘導し、前記第３の縁と第４の縁との間の前記第３の導波管の面を通して、前記光の少なくとも一部を抽出するように配置されている、第３の導波管と、
前記第３の導波管から出射する光を前記第４の縁において受け取り、前記受け取られた光を１つ以上の第２の吸光体に誘導するように位置付けられた第４の導波管と
を備えている、接眼レンズ。
【請求項２】
前記１つ以上の第１の導波管の前記第２の縁間に配置され、前記１つ以上の第１の導波管からの光を前記第２の導波管の中に結合するように構成された光学構造をさらに備えている、請求項１に記載の接眼レンズ。
【請求項３】
反射体をさらに備え、前記第２の導波管は、前記反射体と前記１つ以上の第１の導波管との間に配置され、前記反射体は、光が前記１つ以上の第１の吸光体に誘導されるように、前記１つ以上の第１の導波管から前記第２の導波管に入射する前記光を反射するように構成されている、請求項１に記載の接眼レンズ。
【請求項４】
前記１つ以上の吸収体は、ユーザによる前記頭部搭載型ディスプレイの動作中、ユーザの視野外に位置している、請求項１に記載の接眼レンズ。
【請求項５】
前記１つ以上の第１の導波管から出射する光を前記１つ以上の第１の導波管の１つ以上の追加の縁において受け取り、前記１つ以上の追加の縁から受け取られた光を１つ以上の追加の吸光体に誘導するように位置付けられた１つ以上の追加の導波管をさらに備えている、請求項１に記載の接眼レンズ。
【請求項６】
前記１つ以上の第１の導波管は、ユーザによる前記頭部搭載型ディスプレイの動作中、ユーザの視野内に位置している、請求項１に記載の接眼レンズ。
【請求項７】
前記１つ以上の第１の導波管は、前記第１の縁と前記第２の縁との間に延びている１つ以上の回折光学要素を備え、前記１つ以上の回折光学要素は、前記第１の縁と第２の縁との間の前記１つ以上の第１の導波管の面を通して、前記光の少なくとも一部を抽出するように構成されている、請求項１に記載の接眼レンズ。
【請求項８】
前記１つ以上の回折光学要素のうちの少なくとも１つは、前記１つ以上の第１の導波管の内部に配置されている、請求項７に記載の接眼レンズ。
【請求項９】
前記１つ以上の回折光学要素のうちの少なくとも１つは、前記１つ以上の第１の導波管の周辺に沿って配置されている、請求項７に記載の接眼レンズ。
【請求項１０】
前記第２の導波管は、その周辺に沿って格子パターンを画定している、請求項１に記載の接眼レンズ。
【請求項１１】
前記第２の導波管は、前記１つ以上の第１の導波管と一体型である、請求項１０に記載の接眼レンズ。
【請求項１２】
前記格子パターンは、前記第２の導波管の第１の面または前記第２の導波管の第２の面のうちの少なくとも１つ上に画定され、前記第２の導波管の前記第１の面は、前記第２の導波管の前記第２の面と反対側にある、請求項１１に記載の接眼レンズ。
【請求項１３】
前記第２の導波管は、前記１つ以上の第１の導波管と異なる、請求項１０に記載の接眼レンズ。
【請求項１４】
前記格子パターンに沿って堆積させられた吸光材料をさらに備えている、請求項１０に記載の接眼レンズ。
【請求項１５】
前記格子パターンは、前記第２の導波管の前記周辺の全体に沿って画定されている、請求項１４に記載の接眼レンズ。
【請求項１６】
前記吸光材料は、前記第２の導波管の前記周辺の全体に沿って堆積させられている、請求項１４に記載の接眼レンズ。
【請求項１７】
前記格子パターンは、前記第２の導波管の前記周辺の一部に沿って画定されている、請求項１４に記載の接眼レンズ。
【請求項１８】
前記吸光材料は、前記第２の導波管の前記周辺の一部に沿って堆積させられている、請求項１４に記載の接眼レンズ。
【請求項１９】
前記空間光変調器からの光を受け取るように構成された光学結合器サブシステムを備え、前記光学結合器サブシステムは、一次放出軸に沿った前記１つ以上の第１の導波管の前記第１の縁に向かう第１の方向に前記光を向ける、請求項１に記載の接眼レンズ。
【請求項２０】
前記第２の導波管は、前記光学結合器サブシステムから第２の方向に周辺縁を備え、前記第２の方向は、前記第１の方向と反対であり、前記周辺縁は、前記一次放出軸に対して傾けられている、請求項１９に記載の接眼レンズ。
【手続補正２】
【補正対象書類名】明細書
【補正対象項目名】００２７
【補正方法】変更
【補正の内容】
【００２７】
１つ以上の実施形態の詳細は、付随の図面および下記の説明に記載される。他の特徴および利点は、説明および図面から、および請求項から明白となるであろう。
本願明細書は、例えば、以下の項目も提供する。
（項目１）
頭部搭載型ディスプレイのための接眼レンズであって、前記接眼レンズは、
１つ以上の第１の導波管であって、前記１つ以上の第１の導波管は、空間光変調器からの光を第１の縁において受け取り、前記受け取られた光の少なくとも一部を前記第１の縁と反対側の第２の縁に誘導し、前記第１の縁と第２の縁との間の前記１つ以上の第１の導波管の面を通して、前記光の少なくとも一部を抽出するように配置されている、１つ以上の第１の導波管と、
前記１つ以上の第１の導波管から出射する光を前記第２の縁において受け取り、前記受け取られた光を１つ以上の吸光体に誘導するように位置付けられた第２の導波管と
を備えている、接眼レンズ。
（項目２）
前記１つ以上の第１の導波管の前記第２の縁間に配置され、前記１つ以上の第１の導波管からの光を前記第２の導波管の中に結合するように構成された光学構造をさらに備えている、項目１に記載の接眼レンズ。
（項目３）
反射体をさらに備え、前記第２の導波管は、前記反射体と前記１つ以上の第１の導波管との間に配置され、前記反射体は、光が前記１つ以上の吸光体に誘導されるように、前記１つ以上の第１の導波管から前記第２の導波管に入射する前記光を反射するように構成されている、項目１に記載の接眼レンズ。
（項目４）
前記１つ以上の吸収体は、ユーザによる前記頭部搭載型ディスプレイの動作中、ユーザの視野外に位置している、項目１に記載の接眼レンズ。
（項目５）
前記１つ以上の第１の導波管から出射する光を前記１つ以上の第１の導波管の１つ以上の追加の縁において受け取り、前記１つ以上の追加の縁から受け取られた光を１つ以上の追加の吸光体に誘導するように位置付けられた１つ以上の追加の導波管をさらに備えている、項目１に記載の接眼レンズ。
（項目６）
前記１つ以上の第１の導波管は、ユーザによる前記頭部搭載型ディスプレイの動作中、ユーザの視野内に位置している、項目１に記載の接眼レンズ。
（項目７）
前記１つ以上の第１の導波管は、前記第１の縁と前記第２の縁との間に延びている１つ以上の回折光学要素を備え、前記１つ以上の回折光学要素は、前記第１の縁と第２の縁との間の前記１つ以上の第１の導波管の面を通して、前記光の少なくとも一部を抽出するように構成されている、項目１に記載の接眼レンズ。
（項目８）
前記１つ以上の回折光学要素のうちの少なくとも１つは、前記１つ以上の第１の導波管の内部に配置されている、項目７に記載の接眼レンズ。
（項目９）
前記１つ以上の回折光学要素のうちの少なくとも１つは、前記１つ以上の第１の導波管の周辺に沿って配置されている、項目７に記載の接眼レンズ。
（項目１０）
前記接眼レンズは、
第３の導波管であって、前記第３の導波管は、前記空間光変調器からの光を第３の縁において受け取り、前記受け取られた光の少なくとも一部を前記第３の縁と反対側の第４の縁に誘導し、前記第３の縁と第４の縁との間の前記第３の導波管の面を通して、前記光の少なくとも一部を抽出するように配置されている、第３の導波管と、
前記第３の導波管から出射する光を前記第４の縁において受け取り、前記受け取られた光を１つ以上の第２の吸光体に誘導するように位置付けられた第４の導波管と
をさらに備えている、項目１に記載の接眼レンズ。
（項目１１）
前記第２の導波管は、その周辺に沿って格子パターンを画定している、項目１に記載の接眼レンズ。
（項目１２）
前記第２の導波管は、前記１つ以上の第１の導波管と一体型である、項目１１に記載の接眼レンズ。
（項目１３）
前記格子パターンは、前記第２の導波管の第１の面または前記第２の導波管の第２の面のうちの少なくとも１つ上に画定され、前記第２の導波管の前記第１の面は、前記第２の導波管の前記第２の面と反対側にある、項目１２に記載の接眼レンズ。
（項目１４）
前記第２の導波管は、前記１つ以上の第１の導波管と異なる、項目１１に記載の接眼レンズ。
（項目１５）
前記格子パターンに沿って堆積させられた吸光材料をさらに備えている、項目１１に記載の接眼レンズ。
（項目１６）
前記格子パターンは、前記第２の導波管の前記周辺の全体に沿って画定されている、項目１５に記載の接眼レンズ。
（項目１７）
前記吸光材料は、前記第２の導波管の前記周辺の全体に沿って堆積させられている、項目１５に記載の接眼レンズ。
（項目１８）
前記格子パターンは、前記第２の導波管の前記周辺の一部に沿って画定されている、項目１５に記載の接眼レンズ。
（項目１９）
前記吸光材料は、前記第２の導波管の前記周辺の一部に沿って堆積させられている、項目１５に記載の接眼レンズ。
（項目２０）
前記空間光変調器からの光を受け取るように構成された光学結合器サブシステムを備え、前記光学結合器サブシステムは、一次放出軸に沿った前記１つ以上の第１の導波管の前記第１の縁に向かう第１の方向に前記光を向ける、項目１に記載の接眼レンズ。
（項目２１）
前記第２の導波管は、前記光学結合器サブシステムから第２の方向に周辺縁を備え、前記第２の方向は、前記第１の方向と反対であり、前記周辺縁は、前記一次放出軸に対して傾けられている、項目２０に記載の接眼レンズ。